(57)【特許請求の範囲】
【請求項１】
複数のデータ通信端末間でデータを送受信することにより各データ通信端末の表示装置上に共有データを表示して共同作業が行えるようになされたデータ共有システムにおいて、
前記複数のデータ通信端末のうちのあるデータ通信端末で非通信時に前記共有データに対して変更が加えられたときに、変更後の共有データと共に変更情報を保存するようにする共有データ更新手段と、
前記あるデータ通信端末の通信時に、前記共有データ更新手段により保存されていた変更後の共有データをそれに対応する変更情報と共に他のデータ通信端末に送信する共有データ送信手段と、
前記変更後の共有データを前記表示装置上に表示する際に、その共有データに対応する変更情報で示される変更箇所を他の箇所とは異なる形式で表示するようにする共有データ表示手段とを備えたことを特徴とするデータ共有システム。
【請求項２】
通信回線を介して複数のデータ通信端末が接続され、前記複数のデータ通信端末間でデータを送受信し、各端末の表示装置上に同一の共有データを表示することにより、前記複数のデータ通信端末で共同作業が可能なようになされたデータ共有システムにおいて、
前記複数のデータ通信端末間で通信中に共有していたデータを保存する共有データ保存手段と、
前記共有データの通信終了後に、前記共有データ保存手段により保存された共有データに対して変更を加えるための共有データ変更手段と、
前記共有データ変更手段により変更された共有データを変更情報と共に保存するようにする共有データ更新手段と、
前記共有データの通信中に、前記共有データ更新手段により保存された共有データおよび変更情報を呼び出す共有データ呼出手段と、
前記共有データ呼出手段により呼び出された共有データおよびそれに付随する変更情報を通信中のデータ通信端末に送信する共有データ送信手段と、
前記共有データを前記表示装置上に表示する際に、その共有データに対応する変更情報があった場合にその変更情報で示される変更箇所を他の箇所とは異なる形式で表示するようにする共有データ表示手段とを備えたことを特徴とするデータ共有システム。
【請求項３】
前記共有データ表示手段は、非通信時に新たに追加または変更されたデータを前記変更情報に基づいて強調表示するようにすることを特徴とする請求項１または２に記載のデータ共有システム。
【請求項４】
前記共有データ表示手段は、非通信時に削除されたデータを前記変更情報に基づいて淡色表示するようにすることを特徴とする請求項１または２に記載のデータ共有システム。
【請求項５】
前記共有データ表示手段は、非通信時に変更されたデータを前記変更情報に基づいて他のデータと異なる色で表示するようにすることを特徴とする請求項１または２に記載のデータ共有システム。
【請求項６】
通信回線を介して他のデータ通信端末と接続され、前記他のデータ通信端末との間でデータを送受信することにより表示装置上に共有データを表示して共同作業が行えるようになされたデータ通信端末において、
前記通信回線が切断された非通信時に、前記共有データに対して変更を加えるための共有データ変更手段と、
前記共有データ変更手段により変更された共有データを変更情報と共に保存するようにする共有データ更新手段と、
前記通信回線が接続された通信時に、前記共有データ更新手段により保存されていた変更後の共有データをそれに対応する変更情報と共に前記他のデータ通信端末に送信する共有データ送信手段と、
前記共有データを前記表示装置上に表示する際に、その共有データに対応する変更情報があった場合にその変更情報で示される変更箇所を他の箇所とは異なる形式で表示するようにする共有データ表示手段とを備えたことを特徴とするデータ通信端末。
【発明の詳細な説明】
【０００１】
【発明の属する技術分野】
本発明は、データ共有システム、およびドキュメント等のデータを構成する文字・図形等のオブジェクト情報を送受信することによりドキュメントの共有が可能なデータ通信端末に関し、特に、共有ドキュメントによる打ち合わせの再開方式に関する。
【０００２】
【従来の技術】
従来、テレビ会議専用端末やパーソナルコンピュータ等のデータ通信端末をＬＡＮ（ローカルエリアネットワーク）、ＩＳＤＮ（サービス総合ディジタル網）、ＰＳＴＮ（アナログ電話網）、ＣＳＰＤＮ（回線交換網）等の通信回線に接続し、音声、映像、データといった様々なメディアを伝送することにより、遠隔地間で会議を行うことができるようにしたテレビ会議システムが普及している。
【０００３】
このようなシステムでは、例えば図６に示すように、通信回線を介して接続された２つのデータ通信端末Ａ，Ｂ間でドキュメントを構成するオブジェクト情報を送受信することにより、各端末Ａ，Ｂの表示装置上に同一のドキュメント（共有ドキュメント）を表示する。そして、その共有ドキュメントを見ながら音声で打ち合わせをするといった機能が提供されていることが一般的である。
【０００４】
また、前記従来のテレビ会議システムでは、共有ドキュメントを利用した打ち合わせをした場合、その通信中または通信終了後に、打ち合わせに使用した共有ドキュメントを、通信を行っていた各データ通信端末において保存するようにし、通信終了後も任意の時点で個々のデータ通信端末で参照し、修正することができるようになっていることが一般的である。
【０００５】
【発明が解決しようとする課題】
しかしながら、上記従来例では、通信終了後に各データ通信端末において保存された共有ドキュメントを修正し、修正後のドキュメントを次回の通信時に呼び出した場合、その修正後のデータが送られる他のデータ通信端末では、前回の通信時のドキュメントからの変更点が一見して分からないことが多い。そのため、ドキュメントに変更を加えたユーザが修正箇所を１つ１つ説明していかなければならず、円滑な打ち合わせに支障をきたすという問題があった。
【０００６】
また、修正により共有ドキュメント中から削除されたオブジェクトがあった場合には、どのオブジェクトが削除されたのかが分からなくなってしまうという問題もあった。
【０００７】
本発明は前記問題を解決するために成されたものであり、通信終了後に他のユーザによって修正された共有ドキュメントの変更箇所が分からないという不都合を防止して、共有ドキュメントを用いた円滑な打ち合わせ環境を提供できるようにすることを目的とする。
【０００８】
【課題を解決するための手段】
本発明のデータ共有システムは、複数のデータ通信端末間でデータを送受信することにより各データ通信端末の表示装置上に共有データを表示して共同作業が行えるようになされたデータ共有システムにおいて、前記複数のデータ通信端末のうちのあるデータ通信端末で非通信時に前記共有データに対して変更が加えられたときに、変更後の共有データと共に変更情報を保存するようにする共有データ更新手段と、前記あるデータ通信端末の通信時に、前記共有データ更新手段により保存されていた変更後の共有データをそれに対応する変更情報と共に他のデータ通信端末に送信する共有データ送信手段と、前記変更後の共有データを前記表示装置上に表示する際に、その共有データに対応する変更情報で示される変更箇所を他の箇所とは異なる形式で表示するようにする共有データ表示手段とを備えたことを特徴とする。
【０００９】
本発明の他の特徴とするところは、通信回線を介して複数のデータ通信端末が接続され、前記複数のデータ通信端末間でデータを送受信し、各端末の表示装置上に同一の共有データを表示することにより、前記複数のデータ通信端末で共同作業が可能なようになされたデータ共有システムにおいて、前記複数のデータ通信端末間で通信中に共有していたデータを保存する共有データ保存手段と、前記共有データの通信終了後に、前記共有データ保存手段により保存された共有データに対して変更を加えるための共有データ変更手段と、前記共有データ変更手段により変更された共有データを変更情報と共に保存するようにする共有データ更新手段と、前記共有データの通信中に、前記共有データ更新手段により保存された共有データおよび変更情報を呼び出す共有データ呼出手段と、前記共有データ呼出手段により呼び出された共有データおよびそれに付随する変更情報を通信中のデータ通信端末に送信する共有データ送信手段と、前記共有データを前記表示装置上に表示する際に、その共有データに対応する変更情報があった場合にその変更情報で示される変更箇所を他の箇所とは異なる形式で表示するようにする共有データ表示手段とを備えたことを特徴とする。
【００１０】
本発明のその他の特徴とするところは、前記共有データ表示手段は、非通信時に新たに追加または変更されたデータを前記変更情報に基づいて強調表示するようにすることを特徴とする。
【００１１】
本発明のその他の特徴とするところは、前記共有データ表示手段は、非通信時に削除されたデータを前記変更情報に基づいて淡色表示するようにすることを特徴とする。
【００１２】
本発明のその他の特徴とするところは、前記共有データ表示手段は、非通信時に変更されたデータを前記変更情報に基づいて他のデータと異なる色で表示するようにすることを特徴とする。
【００１３】
本発明のデータ通信端末は、通信回線を介して他のデータ通信端末と接続され、前記他のデータ通信端末との間でデータを送受信することにより表示装置上に共有データを表示して共同作業が行えるようになされたデータ通信端末において、前記通信回線が切断された非通信時に、前記共有データに対して変更を加えるための共有データ変更手段と、前記共有データ変更手段により変更された共有データを変更情報と共に保存するようにする共有データ更新手段と、前記通信回線が接続された通信時に、前記共有データ更新手段により保存されていた変更後の共有データをそれに対応する変更情報と共に前記他のデータ通信端末に送信する共有データ送信手段と、前記共有データを前記表示装置上に表示する際に、その共有データに対応する変更情報があった場合にその変更情報で示される変更箇所を他の箇所とは異なる形式で表示するようにする共有データ表示手段とを備えたことを特徴とする。
【００１４】
上記のように構成した本発明のデータ共有システムおよびデータ通信端末によれば、非通信時に共有データに対して加えられた変更箇所が、その後の通信時に非変更箇所とは異なる形式で表示されるようになるので、ユーザは、他のユーザにより非通信時に共有データに対して加えられた修正を次回通信時に一見して識別することができるようになる。
【００１５】
【発明の実施の形態】
以下、図面を参照して、本発明の一実施形態を詳細に説明する。
図１は、本発明の一実施形態であるデータ通信端末の構成を示すブロック図である。
【００１６】
図１に示すように、本実施形態のデータ通信端末は、ＣＰＵ１０１、ＲＯＭ１０２、ＲＡＭ１０３、入力部１０４、出力部１０５、および通信制御部１０６で構成され、それぞれがシステムバス１０７を介して接続されている。そして、このような構成のデータ通信端末が通信回線１００を介して複数接続されることにより、本実施形態のデータ共有システムが構成される。
【００１７】
前記の構成において、ＣＰＵ１０１は、ＲＯＭ１０２に格納されている様々なプログラムを実行し、データ通信端末全体の制御を行うために設けられているものである。ＲＯＭ１０２は、本実施形態の共有ドキュメント保存手段１、共有ドキュメント変更手段２、共有ドキュメント更新手段３、共有ドキュメント呼出手段４、共有ドキュメント送信手段５、および共有ドキュメント表示手段６を実行するプログラムと、その他のドキュメントを共有するためおよびデータ通信端末として動作するために必要な従来の処理を行うプログラムとを格納するために設けられているものである。
【００１８】
ＲＡＭ１０３は、前記ＣＰＵ１０１の作業領域、および前記ＲＯＭ１０２に格納されている様々なプログラムにより使用されるデータ（例えば、データ通信端末間で送受信されるオブジェクト情報、入力部１０４および出力部１０５で使用する入出力情報など）を一時格納する格納領域として使用するために設けられているものである。
【００１９】
入力部１０４は、マウス、キーボード、ライトペン等の入力装置を具備し、本実施形態のデータ共有システムを制御または使用するために必要な様々な情報を入力するために設けられているものである。また、出力部１０５は、ＣＲＴモニタ、液晶ディスプレイ等の表示装置を具備し、本実施形態のデータ共有システムで共有するドキュメント等を表示するために設けられているものである。
【００２０】
通信制御部１０６は、ＬＡＮ、ＩＳＤＮ、ＰＳＴＮ、ＣＳＰＤＮ等の通信回線１００に接続され、各々の通信回線の規定に従った回線制御を行うことにより、図示しない他のデータ通信端末間を接続し、共有ドキュメントを構成するオブジェクト情報等をデータ共有システム内で送受信するために設けられているものである。
【００２１】
また、前記ＲＯＭ１０２において、共有ドキュメント保存手段１は、通信中に他のデータ通信端末（図示せず）と共有していた共有ドキュメントを構成する文字や図形等の情報（以下、ドキュメント情報という）を、前記ＲＡＭ１０３または図示していない外部記憶装置に保存するために設けられているものである。外部記憶装置に保存しておけば、データ通信端末の電源を一旦切った後でも、同じ共有データを利用することが可能である。
【００２２】
共有ドキュメント変更手段２は、非通信時（例えば、打ち合わせ終了後の回線切断時）に、前記共有ドキュメント保存手段１により保存されたドキュメント情報を呼び出して前記出力部１０５の表示装置に表示し、該共有ドキュメントを構成するオブジェクト（文字や図形）の追加、削除、変更を行うために設けられているものである。
【００２３】
共有ドキュメント更新手段３は、前記共有ドキュメント変更手段２により変更されたドキュメント情報を、前記共有ドキュメント変更手段２により行われた変更内容を表す変更情報と共に前記ＲＡＭ１０３または図示していない外部記憶装置に保存するために設けられているものである。
【００２４】
共有ドキュメント呼出手段４は、前記共有ドキュメント保存手段１または前記共有ドキュメント更新手段３により保存されたドキュメント情報と、前記共有ドキュメント更新手段３によりドキュメント情報に対応して変更情報が保存されている場合にはその変更情報とを前記ＲＡＭ１０３または図示していない外部記憶装置から呼び出すために設けられているものである。
【００２５】
共有ドキュメント送信手段５は、前記共有ドキュメント呼出手段４により呼び出されたドキュメント情報と、それに対応する変更情報（変更情報があった場合）とを、現在通信中の他のデータ通信端末（図示せず）に通信制御部１０６を介して送信するために設けられているものである。
【００２６】
共有ドキュメント表示手段６は、前記ドキュメント情報とそれに対応する変更情報（変更情報があった場合）とに基づき、前回の打ち合わせ終了時から共有ドキュメント上で変更された箇所をユーザが一見して識別可能な形式で、前記出力部１０５に備えられた表示装置上に共有ドキュメントを表示するために設けられているものである。
【００２７】
図２は、本実施形態のデータ通信端末間においてドキュメントの共有を行う場合の処理の一例を示すシーケンス図である。
この図２は、２つのデータ通信端末Ａ，Ｂ間でドキュメントを共有している場合を示すものであり、一方のデータ通信端末Ａにおいて保存された共有ドキュメントに対して通信終了後に修正を加え、修正後の共有ドキュメントを次回の通信時に呼び出した場合の処理を示している。
【００２８】
図２において、まずステップＳ２０１で、２つのデータ通信端末Ａ，Ｂ間における共有ドキュメントを用いた打ち合わせを終了すると、次のステップＳ２０２では、その打ち合わせに使用した共有ドキュメントの保存が前記一方のデータ通信端末Ａにおいて要求される。このステップＳ２０２の保存要求に応じて、ステップＳ２０３では、前記共有ドキュメントを構成するためのドキュメント情報が前記図示しない外部記憶装置等に保存される。
【００２９】
次に、ステップＳ２０４において、前記ステップＳ２０３で外部記憶装置等に保存された共有ドキュメントを修正するためにその共有ドキュメントの呼び出しが要求されると、その呼出要求に応じて、ステップＳ２０５では、前記ステップＳ２０３で外部記憶装置等に保存されたドキュメント情報が呼び出され、その呼び出されたドキュメント情報に基づき、共有ドキュメントが出力部１０５の表示装置上に表示される。
【００３０】
そして、ステップＳ２０６で、前記ステップＳ２０５で表示された共有ドキュメントに対して、該共有ドキュメントを構成するオブジェクトの追加、削除、変更等の修正要求がなされると、次のステップＳ２０７で、その要求に対応した修正処理が実施される（この例では、共有ドキュメント中の「円」オブジェクトの１つが「四角形」オブジェクトに変更されている）。
【００３１】
ステップＳ２０８では、前記ステップＳ２０７で変更された共有ドキュメントの保存が要求され、ステップＳ２０９では、前記ステップＳ２０８の更新要求に応じて、前記変更された共有ドキュメントを構成するドキュメント情報と、変更事項を示す変更情報とが前記外部記憶装置等に保存される。
【００３２】
その後、ステップＳ２１０において、ドキュメントを共有していた他方のデータ通信端末Ｂに対して呼の接続が要求されると、次のステップＳ２１１では、前記ステップＳ２１０の接続要求に応じて通信接続手順が実行されることにより、一方のデータ通信端末Ａと他方のデータ通信端末Ｂとの間で呼が確立される。
【００３３】
次に、ステップＳ２１２において、前記ステップＳ２０４〜Ｓ２０９で修正・保存されたドキュメント情報およびそれに付随する変更情報の呼び出しが要求されると、次のステップＳ２１３では、前記ステップＳ２１２の呼出要求に応じて、該当するドキュメント情報および変更情報が前記外部記憶装置等から呼び出される。そして、ステップＳ２１４で、前記ステップＳ２１３で呼び出されたドキュメント情報と変更情報とが他方のデータ通信端末Ｂに対して送信される。
【００３４】
ステップＳ２１５では、前記ステップＳ２１３で呼び出されたドキュメント情報および変更情報に基づき、一方のデータ通信端末Ａの出力部１０５に備えられた表示装置上に、ユーザが修正点を一見して識別できるような形式で修正後の共有ドキュメントが表示される。また、ステップＳ２１６では、前記ステップＳ２１４で一方のデータ通信端末Ａから送信されたドキュメント情報および変更情報に基づき、他方のデータ通信端末Ｂの表示装置上に、ユーザが修正点を一見して識別できるような形式で修正後の共有ドキュメントが表示される。
【００３５】
図２の例では、修正された部分（共有ドキュメント中の「四角形」オブジェクト）が他の修正されていない部分と比べて強調して表示されている。
このため、ユーザは、修正された部分とそうでない部分とを一目で識別することができるようになる。
【００３６】
図３は、前述した本実施形態に係るデータ通信端末において、前記ＲＡＭ１０３または外部記憶装置に保存されている共有ドキュメントを変更するための処理、すなわち、共有ドキュメント更新処理の一例を示すフローチャートである。
【００３７】
同図において、ステップＳ３０１では、前記ＲＡＭ１０３または前記外部記憶装置等に保存されているドキュメント情報を呼び出す。そして、その読み出したドキュメント情報に基づいて共有ドキュメントを前記表示装置上に表示し、ステップＳ３０２に進む。
【００３８】
ステップＳ３０２では、前記ステップＳ３０１で表示された共有ドキュメントに対して、前記入力部１０４に備えられたマウス等の入力装置を使用して、「新たなオブジェクトの追加」、「既存のオブジェクトの削除」、「既存のオブジェクトの変更」、および「ドキュメント変更処理の終了」等の入力処理を行い、ステップＳ３０３に進む。
【００３９】
ステップＳ３０３では、前記ステップＳ３０２においてオブジェクトの変更があったかどうか調べ、オブジェクトの変更があった場合はステップＳ３０４に進み（ステップＳ３０３：Ｙｅｓ）、オブジェクトの変更がなかった場合はステップＳ３０５に進む（ステップＳ３０３：Ｎｏ）。
【００４０】
ステップＳ３０４では、前記ステップＳ３０２において入力された変更に関する情報（例えば、変更されたオブジェクトのＩＤ、変更の種別、変更前および変更後のオブジェクトの情報、等）を前記ＲＡＭ１０３に記憶し、ステップＳ３０２に戻る。
【００４１】
また、ステップＳ３０５では、前記ステップＳ３０２において「ドキュメント変更処理の終了」が指定されたかどうかを調べる。そして、変更処理を終了する場合はステップＳ３０６に進み（ステップＳ３０５：Ｙｅｓ）、変更処理を続行する場合はステップＳ３０２に戻る（ステップＳ３０５：Ｎｏ）。
【００４２】
ステップＳ３０６では、前記ステップＳ３０２において変更された共有ドキュメントおよび前記ステップＳ３０４で保存された変更情報を、前記外部記憶装置に上書き保存するかどうかをユーザに問い合わせ、保存する場合はステップＳ３０７に進み（ステップＳ３０６：Ｙｅｓ）、保存しない場合は本共有ドキュメント更新処理を終了する（ステップＳ３０６：Ｎｏ）。
【００４３】
ステップＳ３０７では、前記ステップＳ３０２において変更された共有ドキュメントのドキュメント情報と、前記ステップＳ３０４においてＲＡＭ１０３に記憶された変更情報とを前記外部記憶装置に保存し、本共有ドキュメント更新処理を終了する。
【００４４】
図４は、本実施形態のデータ通信端末において、前記外部記憶装置等に保存されているドキュメント情報を呼び出すための処理、すなわち、共有ドキュメント呼出処理の一例を示すフローチャートである。
【００４５】
同図において、ステップＳ４０１では、通信終了後または前記図３のステップＳ３０７において保存されたドキュメント情報と、変更情報（前記図３のステップＳ３０７において保存された場合）とを前記外部記憶装置等から前記ＲＡＭ１０３上の作業領域に呼び出し、ステップＳ４０２に進む。
【００４６】
ステップＳ４０２では、前記ステップＳ４０１の呼び出し処理を行ったデータ通信端末が他のデータ通信端末と現在通信中であるかどうかを調べ、通信中の場合はステップＳ４０３に進み（ステップＳ４０２：Ｙｅｓ）、通信中でない場合は本共有ドキュメント呼出処理を終了する（ステップＳ４０２：Ｎｏ）。ステップＳ４０３では、前記ステップＳ４０１で呼び出したドキュメント情報および変更情報を、現在通信中の他のデータ通信端末に送信し、本共有ドキュメント呼出処理を終了する。
【００４７】
図５は、本実施形態のデータ通信端末において、通信中に共有ドキュメントを表示装置上に表示するための処理、すなわち、共有ドキュメント表示処理の一例を示すフローチャートである。
【００４８】
同図において、ステップＳ５０１では、前記図４のステップＳ４０１で呼び出したドキュメント情報、または通信中の他のデータ通信端末から受信したドキュメント情報に変更情報が付随しているかどうかを調べ、変更情報がなかった場合はステップＳ５０２に進み（ステップＳ５０１：Ｎｏ）、変更情報があった場合はステップＳ５０３に進む（ステップＳ５０１：Ｙｅｓ）。
【００４９】
ステップＳ５０２では、前記呼び出したあるいは受信したドキュメント情報を基に、共有ドキュメントをデータ通信端末の表示装置上に表示し、本共有ドキュメント表示処理を終了する。一方、ステップＳ５０３では、前記呼び出したあるいは受信した変更情報を基に、修正前の共有ドキュメントから削除されたオブジェクトをデータ通信端末の表示装置上に淡色表示し、ステップＳ５０４に進む。
【００５０】
ステップＳ５０４では、前記呼び出したあるいは受信した共有ドキュメント情報を基に、修正後の共有ドキュメントをデータ通信端末の表示装置上に表示し、ステップＳ５０５に進む。ステップＳ５０５では、前記呼び出したあるいは受信した変更情報を基に、前記修正前の共有ドキュメントに追加されたオブジェクトおよび変更されたオブジェクトを強調表示し、本共有ドキュメント表示処理を終了する。
【００５１】
なお、追加および変更されたオブジェクトを強調表示する方法としては、描画に使用する線を太くしたり、線の色を変えたりする。あるいは、追加および変更されたオブジェクトを点滅表示する等の方法が考えられる。これらは強調表示の単なる例示であって、追加および変更されたオブジェクトがそうでないオブジェクトと区別できればその表示形態にはこだわらない。
【００５２】
このように、本実施形態では、非通信時にあるデータ通信端末において共有ドキュメント上からオブジェクトを削除した場合でも、その後の通信時に、その削除されたオブジェクトが全てのデータ通信端末において淡色表示されるので、削除を行っていないユーザもどのオブジェクトが削除されたのかを一見して理解することができる。
【００５３】
また、本実施形態では、非通信時にあるデータ通信端末において共有ドキュメント上に新たなオブジェクトを追加したり、既存のオブジェクトを変更したりした場合でも、その後の通信時に、その追加あるいは変更されたオブジェクトが強調表示されるので、修正を行っていないユーザもどのオブジェクトが修正されたのかを一見して認識することができる。
【００５４】
なお、以上の実施形態では、２つのデータ通信端末Ａ，Ｂ間でドキュメントの共有化を行っている場合の例を述べたが、本発明ではデータ通信端末の数はこれに限られず、３つ以上の任意の数で適用することが可能であることは言うまでもない。
【００５５】
【発明の効果】
以上詳しく説明したように、発明によれば、非通信時に共有データに対して変更が加えられたときに、変更後の共有データと共に変更情報を保存しておき、その後の通信時に、その変更情報に基づいて変更箇所を他の箇所とは異なる形式で表示するようにしたので、ユーザは、他のユーザにより非通信時に共有データに対して加えられた修正内容を次回通信時に一見して識別することができる。例えば、本発明のデータ共有システムあるいはデータ通信端末を用いて遠隔会議等を行う場合、打ち合わせ終了後に他のユーザにより共有ドキュメントに加えられた修正内容を次回の打ち合わせ時に一見して識別することができ、ユーザの利便性が向上し、円滑な会議進行を行うことが可能となる。
【図面の簡単な説明】
【図１】本発明の一実施形態であるデータ通信端末の構成を示すブロック図である。
【図２】本実施形態のデータ通信端末において共有ドキュメントの修正を行う場合の処理の一例を示すシーケンス図である。
【図３】本発明の一実施形態に係るデータ通信端末における共有ドキュメント更新処理の一例を示すフローチャートである。
【図４】本発明の一実施形態に係るデータ通信端末における共有ドキュメント呼出処理の一例を示すフローチャートである。
【図５】本発明の一実施形態に係るデータ通信端末における共有ドキュメント表示処理の一例を示すフローチャートである。
【図６】従来のデータ通信端末におけるドキュメント共有の一例を説明するための図である。
【符号の説明】
１  共有ドキュメント保存手段
２  共有ドキュメント変更手段
３  共有ドキュメント更新手段
４  共有ドキュメント呼出手段
５  共有ドキュメント送信手段
６  共有ドキュメント表示手段
１００  通信回線
１０１  ＣＰＵ
１０２  ＲＯＭ
１０３  ＲＡＭ
１０４  入力部
１０５  出力部
１０６  通信制御部
【図１】
0003591983.tif 000002
【図２】
0003591983.tif 000003
【図３】
0003591983.tif 000004
【図４】
0003591983.tif 000005
【図５】
0003591983.tif 000006
【図６】
0003591983.tif 000007